(57)【要約】【課題】足場が負担する鉛直荷重を軽減可能とすること。【解決手段】仮設足場に開口部を設けるために両側の足場間に架け渡すように設置する足場用梁枠（梁枠Ｂ）であって、水平材１０の両端には、足場Ａの開口部側支柱Ａ１と連結可能な連結具１１を備える。支柱２０は連結具１１の後方へと僅かに離隔した位置に設ける端支柱２０ａを少なくとも含んでおり、この端支柱２０ａに対し、直接又は間接的に補助支柱Ｅを取り付けて梁枠Ｂを支持することで、各足場Ａが負担する鉛直荷重の軽減を図る。【選択図】図１
2018145715.tif 000002
【特許請求の範囲】
【請求項１】
仮設足場に開口部を設けるために両側の足場間に架け渡すように設置する足場用梁枠であって、
水平材と、
前記水平材と直交する方向に配置する支柱と、を少なくとも有し、
前記水平材の両端には、各足場の開口部側支柱と連結可能な連結具を備え、
前記支柱は、前記連結具の後方へと僅かに離隔した位置に設ける端支柱を少なくとも含み、
前記端支柱に対し、直接又は間接的に取り付ける補助支柱でもって、足場用梁枠を支持可能としたことを特徴とする、
足場用梁枠。
【請求項２】
前記端支柱と前記補助支柱との間にジャッキを介設してあることを特徴とする、請求項１に記載の足場用梁枠。
【請求項３】
前記水平材が、上弦材および下弦材からなり、
前記支柱は、前記上弦材および下弦材の間に配置し、
前記端支柱の直下であって前記下弦材の下方に、前記補助支柱と接続する、接続筒を設けてあることを特徴とする、
請求項１に記載の足場用梁枠。
【請求項４】
仮設足場の開口部構造であって、
開口部の両側に配置してある、足場と、
前記足場の開口部側支柱に近接するように配置してある、補助支柱と、
足場間に架け渡すように配置してあり、かつ前記補助支柱と直接または間接的に接続してある、請求項１乃至３のうち何れか１項に記載の足場用梁枠と、
を少なくとも有することを特徴とする、
仮設足場の開口部構造。
【請求項５】
前記補助支柱と、前記開口部側支柱またはその他の前記補助支柱との間をつなぐ、つなぎ材を更に有することを特徴とする、
請求項４に記載の仮設足場の開口部構造。
【発明の詳細な説明】
【技術分野】
【０００１】
本発明は、仮設足場の構築において開口部を設ける際に、該開口部を挟んだ両側の足場間に架け渡すように設置する足場用梁枠、および該足場用梁枠を用いた仮設足場の開口部構造に関する。
【背景技術】
【０００２】
足場用梁枠として、以下の特許文献１に記載の発明が知られている。
特許文献１に記載の発明は、上弦材と、下弦材と、上下両弦材間に介設される斜材とによって形成される足場用梁枠（以下「梁枠」ともいう。）が開示されている。
この梁枠は、上弦材の両端に、枠組足場の支柱（以下「足場支柱」ともいう。）に設けたフランジ部材と結合可能なクサビ緊結具を設けている。
【先行技術文献】
【特許文献】
【０００３】
【特許文献１】特許第５１１４２９２号公報
【発明の概要】
【発明が解決しようとする課題】
【０００４】
特許文献１に記載の構造では、梁枠や、該梁枠の上方に設置する足場の荷重を、上弦材を介して足場支柱が負担している。
そのため、足場支柱の強度に基づく負担荷重の限界から、開口部の大きさに制限が生じていた。
上記問題の解決方法として、足場支柱に単菅パイプをクランプ固定して添え木のように二本組とすることで、足場支柱の座屈に対する抵抗力を増加させる方法があるが、本方法では足場支柱が負担する鉛直荷重を軽減するものではなかった。
また、上記する足場支柱の二本組構成は、クランプの取付位置によって補強強度にばらつきが生じ、補強性能の明確性に難があった。
【０００５】
よって、本発明は、足場が負担する鉛直荷重を軽減可能な手段の提供を少なくとも目的の一つとするものである。
【課題を解決するための手段】
【０００６】
上記課題を解決すべくなされた本願の第１発明は、仮設足場に開口部を設けるために両側の足場間に架け渡すように設置する足場用梁枠であって、水平材と、前記水平材と直交する方向に配置する支柱と、を少なくとも有し、前記水平材の両端には、各足場の開口部側支柱と連結可能な連結具を備え、前記支柱は、前記連結具の後方へと僅かに離隔した位置に設ける端支柱を少なくとも含み、前記端支柱に対し、直接又は間接的に取り付ける補助支柱でもって、足場用梁枠を支持可能としたことを特徴とする。
また、本願の第２発明は、前記第１発明において、前記端支柱と前記補助支柱との間にジャッキを介設してあることを特徴とする。
また、本願の第３発明は、前記第１発明において、前記水平材が、上弦材および下弦材からなり、前記支柱は、前記上弦材および下弦材の間に配置し、前記端支柱の直下であって前記下弦材の下方に、前記補助支柱と接続する、接続筒を設けてあることを特徴とする。
また、本願の第４発明は、仮設足場の開口部構造であって、開口部の両側に配置してある、足場と、前記足場の開口部側支柱に近接するように配置してある、補助支柱と、足場間に架け渡すように配置してあり、かつ前記補助支柱と直接または間接的に接続してある、前記第１発明乃至第３発明のうち何れか１つに記載の足場用梁枠と、を少なくとも有することを特徴とする。
また、本願の第５発明は、前記第４発明において、前記補助支柱と、前記開口部側支柱またはその他の前記補助支柱との間をつなぐ、つなぎ材を更に有することを特徴とする。
【発明の効果】
【０００７】
本発明によれば、以下に記載する効果のうち、少なくとも何れか１つの効果を奏する。
（１）足場が負担する鉛直荷重を軽減できる。
足場用梁枠に取り付ける補助支柱が、足場用梁枠を直接支持することで鉛直荷重の一部を負担するため、足場用梁枠の側方に設ける足場が負担する鉛直荷重を小さくできる。
よって、開口部の更なる拡張や、足場用梁枠の上方に設ける足場の段数増に寄与する。
（２）補強性能を正確に求めることができる。
足場の開口部側支柱を二本組する構成では、補強性能の明確性に難があったところ、本発明に係る補助支柱は、地面に接地して直接足場用梁枠を支持するため、構造計算によって、補強性能を正確に求めることができる。
（３）開口部の拡張や梁枠上方の足場段数の増加に寄与する。
足場用梁枠の側方に設ける足場の開口部側支柱から僅かに離隔した位置に補助支柱を設けるため、開口部の幅長の減少に大きな影響を与えない。
（４）補助支柱の横ズレや転倒を防止できる。
補助支柱と、開口部側支柱やその他の補助支柱との間をつなぎ材で繋いでおくことにより、補助支柱の横ズレや転倒を防止できる。
【図面の簡単な説明】
【０００８】
【図１】実施例１に係る仮設足場の全体構成を示す概略斜視図。
【図２】実施例１において梁枠と足場との接続箇所周辺を示す概略斜視図。
【図３】実施例２において梁枠と足場との接続箇所周辺を示す概略斜視図。
【発明を実施するための形態】
【０００９】
以下、図面を参照しながら、本発明の実施例について説明する。
【実施例１】
【００１０】
＜１＞全体構成
本実施例に係る仮設足場は、図１に示すように、両側の足場Ａ間に足場用梁枠（以下単に「梁枠」という。）Ｂを架け渡し、梁枠Ｂの上方に、上方足場Ｃを設置するとともに、該梁枠Ｂの下方を開口部Ｄとする構造を呈する。
さらに、本実施例に係る仮設足場は、足場Ａの開口部側の支柱（開口部側支柱Ａ１）に近接するように設置する補助支柱Ｅを設けており、当該補助支柱Ｅを梁枠Ｂに取り付けることで、開口部側支柱Ａ１とともに梁枠Ｂを支持している。
以下、適宜図１，２を参照しながら、各構成要素の詳細について説明する。
【００１１】
＜２＞足場
足場Ａは開口部を構成するために梁枠Ｂの両側に設置する部材である。
足場Ａを構成する各部材のうち、開口部側の支柱（開口部側支柱Ａ１）には、少なくとも梁枠Ｂと連結可能な機構を設けている。
本実施例では、足場Ａに公知の枠組足場を用いており、詳細な説明は省略する。
【００１２】
＜３＞梁枠（足場用梁枠）
梁枠Ｂは、足場Ａ間に架け渡すように配置して、梁枠Ｂの下方に開口部Ｃを形成するための部材である。
本実施例に係る梁枠Ｂは、左右方向に伸びる水平材１０と、該水平材１０の長手方向に直交するように延びる支柱２０と、水平材１０の長手方向から所定角度を有するように延びる斜材３０と、を有する。
この梁枠Ｂは、足場Ａ間において一部材で構成してもよいし、複数部材を連結して構成してもよい。
以下、梁枠の構成部材について説明する。
【００１３】
＜３．１＞水平材（上弦材・下弦材）
水平材１０は、梁枠Ｂの左右方向に延びる部材である。
本実施例では、水平材１０は、支柱２０および斜材３０の上端側を接続する上弦材と１０ａと、支柱２０の下端側を接続する下弦材１０ｂとに分かれている。
この上弦材１０ａおよび下弦材１０ｂと、支柱２０および斜材３０とでもって、トラス構造を呈する梁枠を構成している。
【００１４】
＜３．１．１＞連結具（図２）
図２に、梁枠と足場との接続箇所周辺の概略斜視図を示す。
少なくとも１つの水平材１０の両端には、連結具１１を設ける。
連結具１１は、各足場Ａと梁枠Ｂとを連結するための部材である。
本実施例では、連結具１１を上弦材１０ａおよび下弦材１０ｂの両方に設けている。
この連結具１１は、一般的な仮設足場において支柱と水平材（手すり、横架材など）とを連結するための公知の部材を用いることができる。
本実施例では、連結具１１に、開口部側支柱Ａ１の周壁に設けたフランジの挿通孔に挿入可能なクサビ緊結具を用いている。
【００１５】
＜３．２＞支柱
支柱２０は、梁枠Ｂが受ける鉛直荷重を負担するための部材である。
支柱２０は、前記上弦材１０ａおよび下弦材１０ｂの間を、直交方向を長手方向とするように配置してある。
本実施例に係る支柱２０は、上弦材１０ａおよび下弦材１０ｂの両端にそれぞれ設けた連結具１１から後方に僅かに離隔した位置に設ける端支柱２０ａと、その余の中間支柱２０ｂと、に区分けされる。
【００１６】
＜３．２．１＞端支柱
端支柱２０ａは、補助支柱Ｅに鉛直荷重を伝達するための部材である。
本実施例では、上弦材１０ａおよび下弦材１０ｂにそれぞれ設けた連結具１１から、僅かに後方（水平材の中心側）に離隔した箇所に端支柱２０ａを配置している。
この離隔距離は、開口部Ｄが必要以上に狭くならない範囲で適宜設定すればよい。
【００１７】
＜３．２．２＞各支柱の上端構造
各支柱２０のうち、少なくとも何れかの上端部には、梁枠の上方に足場を連結するための連結ピン（図示せず）を設けておくことができる。
この連結ピンは、支柱２０と別部材に構成してもよいし、支柱２０の内部に収納可能に構成してもよい。
【００１８】
＜４＞補助支柱
補助支柱Ｅは、梁枠Ｂを支持して鉛直荷重を負担するための部材である。
補助支柱Ｅの底部は、足場Ａの開口部側支柱Ａ１と同様に、ジャッキベースを設けて設置面に立設する。
【００１９】
＜４．１＞梁枠との接続構造
補助支柱Ｅの上端は、直接または間接的に、梁枠Ｂの端支柱２０ａの直下を支持するよう構成する。
図２に示すように、実施例では、補助支柱Ｅの上端にジャッキ４０を設け、該ジャッキ４０を介して端支柱２０ａの直下の下弦材１０ｂと接続している。
【００２０】
＜４．１．１＞ジャッキ
本実施例に係るジャッキ４０は、補助支柱Ｅの上端を収容する収容筒４１と、下弦材を支持する受け具４２と、前記収容筒４１と受け具４２との間を伸縮可能な昇降部４３と、から構成している。
使用時には、昇降部４３を縮めてある状態で、補助支柱Ｅの上端に前記収容筒４１を差し込み、昇降部４３を伸ばして前記受け具４２を梁枠Ｂの下弦材１０ｂに接触させて支持した状態とする。
このとき、端支柱２０ａの軸線、ジャッキ４０の軸線および補助支柱Ｅの軸線が同一位置にあるように構成すると、梁枠Ｂの端支柱２０ａから補助支柱Ｅに鉛直荷重を確実に伝達することができる。
【００２１】
＜５＞つなぎ材
つなぎ材Ｆは、補助支柱Ｅと、隣接する各部材とを連結するための部材である。
本実施例では、補助支柱Ｅに隣接する開口部側支柱Ｃ１やその他の補助支柱Ｅと、それぞれつなぎ材Ｆ１，Ｆ２でもって連結している。
つなぎ材Ｆの両端部は、開口部側支柱Ａ１や補助支柱Ｅに設けたフランジの挿通孔を介して連結可能な公知の機構を設けておくことができる。
このつなぎ材Ｆは、補助支柱Ｅが負担する鉛直荷重を伝達するものではなく、あくまで補助支柱Ｅの横ずれや転倒を防止するための部材である。
【００２２】
＜６＞まとめ
このように、本実施例に係る足場用梁枠Ｂおよび該足場用梁枠を用いた仮設足場によれば、足場Ａを構成する支柱とは別に設けた補助支柱Ｅが、足場用梁枠Ｂを直接支持するため、足場Ａが負担する鉛直荷重を軽減できる。
また、この補助支柱Ｅは、足場Ａの開口部側支柱Ｂから僅かに離隔した位置に設けるため、開口部Ｄの幅長にも大きな影響を与えない。
よって、開口部Ｄの拡張化や上方足場Ｃの段数増に寄与する。
【実施例２】
【００２３】
図３を参照しながら、本発明の第２実施例について説明する。
本実施例では、端支柱２０ａの直下であって下弦材１０ｂの下方に、補助支柱Ｅと接続可能な接続筒５０を溶接してある。
補助支柱Ｅの上端には、連結ピン（図示せず）を設けておき、当該連結ピンを接続筒５０に差し込むことで、補助支柱Ｅと梁枠Ｂとを一体化する。
このとき、端支柱２０ａの軸線、接続筒５０の軸線および補助支柱Ｅの軸線が同一位置にあるように構成すると、梁枠Ｂの端支柱２０ａから補助支柱Ｅに鉛直荷重を確実に伝達することができる。
本実施例に係る発明によっても、実施例１と同等の作用効果を得ることができる。
【符号の説明】
【００２４】
Ａ      足場
Ａ１    開口部側支柱
Ｂ      梁枠
Ｃ      上方足場
Ｄ      開口部
Ｅ      補助支柱
Ｆ      つなぎ材
１０    水平材
１０ａ  上弦材
１０ｂ  下弦材
２０    支柱
２０ａ  端支柱
２０ｂ  中間支柱
３０    斜材
４０    ジャッキ
４１    収容筒
４２    受け具
４３    昇降部
５０    接続筒
【図１】
2018145715.tif 000003
【図２】
2018145715.tif 000004
【図３】
2018145715.tif 000005